【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
遊技場に設置される異常検出装置であって、
前記遊技場に複数種類の遊技機が設けられる場合に、前記遊技機の種類に応じて設定される異なる設定値を記憶する記憶手段と、
遊技機への遊技媒体の投入数を第一の数として検出する第一の数検出手段と、
遊技機からの遊技媒体の払出数を第二の数として検出する第二の数検出手段と、
現金の投入金額又は所定の記録媒体に記録された有価価値の範囲内で貸出された遊技媒体の数量を第三の数として検出する第三の数検出手段と、
遊技者単位で遊技場に予め貯留された貯遊技媒体から当該遊技機に引出された遊技媒体の数量を第四の数として検出する第四の数検出手段と、
前記遊技機に対応して設けられ遊技媒体を計数する各台計数機で計数された遊技媒体の数を第五の数として検出する第五の数検出手段と、
前記第五の数のうち当該遊技機に返却された遊技媒体の数量を第六の数として検出する第六の数検出手段と、
前記第一〜第六の数と、前記遊技機の種類に応じて設定された設定値に基づいて、異常が発生したことを判定する異常判定手段と、
を備えることを特徴とする異常検出装置。
【請求項２】
遊技場に設置される異常検出装置であって、
前記遊技場に複数種類の各台計数機が設けられる場合に、前記各台計数機の種類に応じて設定される異なる設定値を記憶する記憶手段と、
遊技機への遊技媒体の投入数を第一の数として検出する第一の数検出手段と、
遊技機からの遊技媒体の払出数を第二の数として検出する第二の数検出手段と、
現金の投入金額又は所定の記録媒体に記録された有価価値の範囲内で貸出された遊技媒体の数量を第三の数として検出する第三の数検出手段と、
遊技者単位で遊技場に予め貯留された貯遊技媒体から当該遊技機に引出された遊技媒体の数量を第四の数として検出する第四の数検出手段と、
前記遊技機に対応して設けられ遊技媒体を計数する各台計数機で計数された遊技媒体の数を第五の数として検出する第五の数検出手段と、
前記第五の数のうち当該遊技機に返却された遊技媒体の数量を第六の数として検出する第六の数検出手段と、
前記第一〜第六の数と、前記各台計数機の種類に応じて設定された設定値に基づいて、異常が発生したことを判定する異常判定手段と、
を備えることを特徴とする異常検出装置。
【請求項３】
遊技場に設置される異常検出装置であって、
前記遊技場に複数種類の遊技機及び複数種類の各台計数機が設けられる場合に、前記遊技機及び前記各台計数機の種類に応じて設定される異なる設定値を記憶する記憶手段と、
遊技機への遊技媒体の投入数を第一の数として検出する第一の数検出手段と、
遊技機からの遊技媒体の払出数を第二の数として検出する第二の数検出手段と、
現金の投入金額又は所定の記録媒体に記録された有価価値の範囲内で貸出された遊技媒体の数量を第三の数として検出する第三の数検出手段と、
遊技者単位で遊技場に予め貯留された貯遊技媒体から当該遊技機に引出された遊技媒体の数量を第四の数として検出する第四の数検出手段と、
前記遊技機に対応して設けられ遊技媒体を計数する各台計数機で計数された遊技媒体の数を第五の数として検出する第五の数検出手段と、
前記第五の数のうち当該遊技機に返却された遊技媒体の数量を第六の数として検出する第六の数検出手段と、
前記第一〜第六の数と、前記遊技機及び前記各台計数機の種類に応じて設定された設定値に基づいて、異常が発生したことを判定する異常判定手段と、
を備えることを特徴とする異常検出装置。
【請求項４】
前記異常判定手段は、
前記異常が発生したと判断したときに、対応する前記各台計数機に設けられた計数手段に故障が発生したと判定することを特徴とする請求項１乃至３のいずれか一項記載の異常検出装置。
【請求項５】
前記異常判定手段は、
同一の遊技媒体についての複数の貸出価値のうち、前記貸出価値が低い前記遊技機に対応して設けられた前記各台計数機に異常が発生したと判断したときに、所定の持ち出し異常が発生したと判定することを特徴とする請求項１乃至４のいずれか一項記載の異常検出装置。
【請求項６】
遊技場に設置される装置の異常を検出する異常検出方法であって、
前記遊技場に複数種類の遊技機が設けられる場合に、前記遊技機の種類に応じて設定される異なる設定値を記憶手段に記憶する工程と、
遊技機への遊技媒体の投入数を第一の数として検出する第一の数検出工程と、
遊技機からの遊技媒体の払出数を第二の数として検出する第二の数検出工程と、
現金の投入金額又は所定の記録媒体に記録された有価価値の範囲内で貸出された遊技媒体の数量を第三の数として検出する第三の数検出工程と、
遊技者単位で遊技場に予め貯留された貯遊技媒体から当該遊技機に引出された遊技媒体の数量を第四の数として検出する第四の数検出工程と、
前記遊技機に対応して設けられ遊技媒体を計数する各台計数機で計数された遊技媒体の数を第五の数として検出する第五の数検出工程と、
前記第五の数のうち当該遊技機に返却された遊技媒体の数量を第六の数として検出する第六の数検出工程と、
前記第一〜第六の数と、前記遊技機の種類に応じて設定された設定値に基づいて、異常が発生したことを判定する異常判定工程と、
を備えることを特徴とする異常検出方法。
【請求項７】
遊技場に設置される装置の異常を検出する異常検出方法であって、
前記遊技場に複数種類の各台計数機が設けられる場合に、前記各台計数機の種類に応じて設定される異なる設定値を記憶手段に記憶する工程と、
遊技機への遊技媒体の投入数を第一の数として検出する第一の数検出工程と、
遊技機からの遊技媒体の払出数を第二の数として検出する第二の数検出工程と、
現金の投入金額又は所定の記録媒体に記録された有価価値の範囲内で貸出された遊技媒体の数量を第三の数として検出する第三の数検出工程と、
遊技者単位で遊技場に予め貯留された貯遊技媒体から当該遊技機に引出された遊技媒体の数量を第四の数として検出する第四の数検出工程と、
前記遊技機に対応して設けられ遊技媒体を計数する各台計数機で計数された遊技媒体の数を第五の数として検出する第五の数検出工程と、
前記第五の数のうち当該遊技機に返却された遊技媒体の数量を第六の数として検出する第六の数検出工程と、
前記第一〜第六の数と、前記各台計数機の種類に応じて設定された設定値に基づいて、異常が発生したことを判定する異常判定工程と、
を備えることを特徴とする異常検出方法。
【請求項８】
遊技場に設置される装置の異常を検出する異常検出方法であって、
前記遊技場に複数種類の遊技機及び複数種類の各台計数機が設けられる場合に、前記遊技機及び前記各台計数機の種類に応じて設定される異なる設定値を記憶手段に記憶する工程と、
遊技機への遊技媒体の投入数を第一の数として検出する第一の数検出工程と、
遊技機からの遊技媒体の払出数を第二の数として検出する第二の数検出工程と、
現金の投入金額又は所定の記録媒体に記録された有価価値の範囲内で貸出された遊技媒体の数量を第三の数として検出する第三の数検出工程と、
遊技者単位で遊技場に予め貯留された貯遊技媒体から当該遊技機に引出された遊技媒体の数量を第四の数として検出する第四の数検出工程と、
前記遊技機に対応して設けられ遊技媒体を計数する各台計数機で計数された遊技媒体の数を第五の数として検出する第五の数検出工程と、
前記第五の数のうち当該遊技機に返却された遊技媒体の数量を第六の数として検出する第六の数検出工程と、
前記第一〜第六の数と、前記遊技機及び前記各台計数機の種類に応じて設定された設定値に基づいて、異常が発生したことを判定する異常判定工程と、
を備えることを特徴とする異常検出方法。
【手続補正２】
【補正対象書類名】明細書
【補正対象項目名】発明の名称
【補正方法】変更
【補正の内容】
【発明の名称】異常検出装置及び異常検出方法
【手続補正３】
【補正対象書類名】明細書
【補正対象項目名】００１３
【補正方法】変更
【補正の内容】
【００１３】
本発明によれば、各台計数機の故障や各台計数機に対する不正等の異常を検出することができる。